(57)【要約】【課題】  有機電気発光素子に駆動電流をより効率的に提供するための有機電気発光表示装置が開示される。【解決手段】  有機電気発光表示装置の第１印刷回路基板２００は表示パネル１００に第１駆動信号及び所定電圧を提供し、第２印刷回路基板３００は表示パネル１００に第２駆動信号を提供し、第１信号伝達部材２３０は第１印刷回路基板２００と表示パネル１００とを電気的に連結し、第２信号伝達部材３３０は第２印刷回路基板３００と表示パネル１００とを電気的に連結し、電圧伝達部材４００は第１信号伝達部材２３０の間に、少なくとも一つ以上が形成され、表示パネル１００に所定電圧を提供する。したがって、より多い量の電圧を表示パネル１００に安定的に提供することができる。【選択図】            図１
2006039541.tif 000002
【特許請求の範囲】
【請求項１】
表示領域及び前記表示領域を囲む複数の周辺領域で構成され、有機電気発光素子によって画像を表示する表示パネルと、
前記周辺領域のうち、一つに対応するように配置され、前記表示パネルに第１駆動信号及び所定電圧を提供する第１駆動部と、
前記第１駆動部と前記表示パネルを電気的に連結させ、前記第１駆動信号及び前記所定電圧を前記表示パネルに伝達する複数の第１信号伝達部材と、
前記第１駆動部から提供された前記所定電圧を前記表示パネルに伝達する少なくとも一つ以上の第１電圧伝達部材と、を含むことを特徴とする有機電気発光表示装置。
【請求項２】
前記所定電圧は、電源電圧又は共通電圧であることを特徴とする請求項１記載の有機電気発光表示装置。
【請求項３】
前記第１信号伝達部材は、ゲート信号伝送用フィルムであり、前記所定電圧は共通電圧であることを特徴とする請求項１記載の有機電気発光表示装置。
【請求項４】
前記第１信号伝達部材は、データ信号伝送用フィルムであり、前記所定電圧は電源電圧であることを特徴とする請求項１記載の有機電気発光表示装置。
【請求項５】
前記第１信号伝達部材は、前記所定電圧を前記表示パネルに伝達する電圧提供ラインを含むことを特徴とする請求項１記載の有機電気発光表示装置。
【請求項６】
前記複数の周辺領域は、第１周辺領域、第２周辺領域、第３周辺領域、及び第４周辺領域で構成され、前記第１駆動部は、前記第１周辺領域に対応するように配置され、
前記複数の第１信号伝達部材の一端は前記第１駆動部に付着され、前記一端に対向する他端は前記第１周辺領域に付着され、
前記第１電圧伝達部材は、前記第１信号伝達部材の間に形成されたことを特徴とする請求項１記載の有機電気発光表示装置。
【請求項７】
前記第２周辺領域に対応するように配置され、前記表示パネルに第２駆動信号を提供する第２駆動部と、
一端が前記第２駆動部に付着され、前記一端に対向する他端が前記第２周辺領域に付着され、前記第２駆動部と前記表示パネルを電気的に連結させる複数の第２信号伝達部材と、
前記表示パネルに前記所定の電圧を提供する第２電圧伝達部材と、を更に含むことを特徴とする請求項６記載の有機電気発光表示装置。
【請求項８】
前記第２電圧伝達部材は、隣接する第２信号伝達部材の間に配置されることを特徴とする請求項７記載の有機電気発光表示装置。
【請求項９】
前記有機電気発光素子は、
スイッチング素子と、
電流制御素子と、
前記スイッチング素子及び電流制御素子に連結されたストレージキャパシタと、
アノード電極、有機ＥＬ層、及び前記所定電圧の提供を受けるカソード電極で構成され、前記アノード電極が前記電流制御素子に連結された有機ＥＬダイオードと、を含み、
前記カソード電極と前記第２電圧伝達部材は、前記第３周辺領域又は第４周辺領域に対応する前記表示領域の一辺と同一長さの接触面積を有することを特徴とする請求項７記載の有機電気発光表示装置。
【請求項１０】
前記第１駆動部は、前記スイッチング素子と同一物質からなることを特徴とする請求項９記載の有機電気発光表示装置。
【請求項１１】
前記第１電圧伝達部材は、可撓性印刷回路基板であることを特徴とする請求項１記載の有機電気発光表示装置。
【請求項１２】
前記第１電圧伝達部材は、駆動信号を前記表示パネルに伝送しないことを特徴とする請求項１記載の有機電気発光表示装置。
【請求項１３】
表示領域、及び前記表示領域を囲む複数の周辺領域で構成され、有機電気発光素子によって画像を表示する表示パネルと、
前記周辺領域のいずれか一つに対応するように形成され、前記表示パネルに第１駆動信号を提供する第１駆動部と、
前記周辺領域のうち、他の一つに形成され、前記表示パネルに所定電圧を提供する第１電圧伝達部材と、を含むことを特徴とする有機電気発光表示装置。
【請求項１４】
前記所定電圧は、電源電圧であることを特徴とする請求項１３記載の有機電気発光表示装置。
【請求項１５】
前記第１電圧伝達部材が形成された前記他の一つの周辺領域に対応するように配置され、前記電源電圧を前記第１電圧伝達部材に提供する印刷回路基板を更に含むことを特徴とする請求項１４記載の有機電気発光表示装置。
【請求項１６】
前記所定電圧は、共通電圧であることを特徴とする請求項１３記載の有機電気発光表示装置。
【請求項１７】
前記第１電圧伝達部材が形成された前記他の一つの周辺領域に対応するように配置され、前記共通電圧を前記第１電圧伝達部材に提供する印刷回路基板を更に含むことを特徴とする請求項１６記載の有機電気発光表示装置。
【請求項１８】
前記第１電圧伝達部材は、可撓性印刷回路基板であることを特徴とする請求項１３記載の有機電気発光表示装置。
【請求項１９】
前記複数の周辺領域は、第１周辺領域、第２周辺領域、前記第１周辺領域に対向する第３周辺領域及び前記第２周辺領域に対向する第４周辺領域で構成され、
前記第１駆動部は、前記第１周辺領域に対応するように形成され、
前記第１電圧伝達部材は、前記第３周辺領域又は前記第４周辺領域に形成されることを特徴とする請求項１３記載の有機電気発光表示装置。
【請求項２０】
前記有機電気発光素子は、
スイッチング素子と、
電流制御素子と、
前記スイッチング素子及び電流制御素子に連結されたストレージキャパシタと、
アノード電極、有機ＥＬ層、及び前記共通電圧の提供を受けるカソード電極で構成され、前記アノード電極が前記電流制御素子に連結された有機ＥＬダイオードと、を含み、
前記カソード電極と前記第１電圧伝達部材は、前記第３周辺領域又は第４周辺領域に対応する前記表示領域の一辺と同一長さの接触面積を有することを特徴とする請求項１９記載の有機電気発光表示装置。
【請求項２１】
前記第１駆動部は、前記スイッチング素子及び前記電流制御素子と同じ物質からなることを特徴とする請求項２０記載の有機電気発光表示装置。
【請求項２２】
前記第２周辺領域に対応するように形成され、前記表示パネルに第２駆動信号を提供する第２駆動部と、
前記第１駆動部と前記表示パネルを電気的に連結させ、所定間隔に配列される複数の第１信号伝達部材と、
前記第２駆動部と前記表示パネルを電気的に連結させ、所定間隔に配列される複数の第２信号伝達部材と、
前記第１信号伝達部材また前記第２信号伝達部材の間に形成され、前記表示パネルに前記所定電圧を提供する少なくとも一つ以上の第２電圧伝達部材と、を更に含むことを特徴とする請求項１９記載の有機電気発光表示装置。
【請求項２３】
前記第１信号伝達部材又は第２信号伝達部材は、前記所定電圧を前記表示パネルに提供する電圧提供ラインを含むことを特徴とする請求項２２記載の有機電気発光表示装置。
【請求項２４】
第１電圧伝達部材は、駆動信号を前記表示パネルに伝達しないことを特徴とする請求項１３記載の有機電気発光表示装置。
【請求項２５】
表示領域及び前記表示領域を囲む第１乃至第４周辺領域で構成され、有機電気発光素子によって画像を表示する表示パネルと、
前記第１周辺領域に対応するように配置され、前記表示パネルに第１駆動信号及び第１電圧を提供する第１印刷回路基板と、
前記第２周辺領域に対応するように配置され、前記表示パネルに第２駆動信号及び第２電圧を提供する第２印刷回路基板と、
前記第１印刷回路基板と前記表示パネルを電気的に連結され、所定間隔に配列される複数の第１信号伝達部材と、
前記第２印刷回路基板と前記表示パネルを電気的に連結させ、所定間隔に配列される複数の第２信号伝達部材と、
前記第１信号伝達部材の間に形成され、前記表示パネルに前記第１電圧を提供する少なくとも一つ以上の第１電圧伝達部材と、
前記第２信号伝達部材の間に形成され、前記表示パネルに前記第２電圧を提供する少なくとも一つ以上の第２電圧伝達部材と、を含むことを特徴とする有機電気発光表示装置。
【請求項２６】
前記第３周辺領域に形成され、前記表示パネルに前記第１電圧を提供する第３電圧伝達部材と、
前記第４周辺領域に形成され、前記表示パネルに前記第２電圧を提供する第４電圧伝達部材と、を更に含むことを特徴とする請求項２５記載の有機電気発光表示装置。
【請求項２７】
前記第１電圧伝達部材及び第２電圧伝達部材は、前記第１駆動信号及び第２駆動信号を前記表示パネルに伝達しないことを特徴とする請求項２５記載の有機電気発光表示装置。
【請求項２８】
表示パネルと、
駆動信号を前記表示パネルに伝達する信号伝達部材と、
前記信号伝達部材と分離され、電圧のみを前記表示パネルに伝達する電圧伝達部材と、を含むことを特徴とする有機電気発光表示装置。
【請求項２９】
前記駆動信号は、ゲート信号及びデータ信号のうち、いずれか一つであり、前記電圧は、共通電圧及びソース電圧のうち、いずれか一つであることを特徴とする請求項２８記載の有機発光表示装置。
【請求項３０】
前記表示パネル内の表示領域、及び前記表示領域を囲む第１周辺領域、第２周辺領域、第３周辺領域、及び第４周辺領域を更に含み、前記信号伝達部材は前記周辺領域のうち、いずれか一つと連結され、前記電圧伝達部材は、残余周辺領域のうち、一つに連結されることを特徴とする請求項２８記載の有機電気発光表示装置。
【請求項３１】
前記電圧伝達部材の長さは、前記表示領域の長さと同じであることを特徴とする請求項３０記載の有機電気発光表示装置。
【請求項３２】
前記表示パネル内の表示領域、及び前記表示領域を囲む第１周辺領域、第２周辺領域、第３周辺領域、及び第４周辺領域を更に含み、前記信号伝達部材は、前記第１周辺領域に連結され、前記電圧伝達部材も前記第１周辺領域に連結されることを特徴とする請求項２８記載の有機電気発光表示装置。
【発明の詳細な説明】
【技術分野】
【０００１】
本発明は、有機電気発光表示装置に関し、より詳細には有機電気発光素子に駆動電流をより効率的に提供するための有機電気発光表示装置に関する。
【背景技術】
【０００２】
一般的に、有機電気発光（Ｅｌｅｃｔｒｏ  Ｌｕｍｉｎｅｓｃｅｎｔ：ＥＬ）表示装置は、蛍光性有機化合物に駆動電流を印加することによって発光させる表示装置であって、Ｎ×Ｍ個の有機発光セルを駆動して画像を表現する。ここで、前記有機発光セルは、陽極層、有機薄膜層及び陰極層の構造を有する有機電気発光ダイオード及び前記有機電気発光ダイオードに前記駆動電流を印加するためのスイッチング素子で構成される。
【０００３】
ここで、前記有機電気発光表示装置は、前記有機電界発光セルが形成された表示パネル、前記表示パネルにゲート信号及び共通電圧（Ｖｃｏｍ）を印加するゲート駆動部及び前記表示パネルにデータ信号及び電源電圧（Ｖｄｄ）を印加するデータ駆動部を含む。
【０００４】
前記ゲート駆動部は、ゲート駆動チップ及びゲート印刷回路基板で構成され、前記データ駆動部は、データ駆動チップ及びデータ印刷回路基板で構成される。ここで、前記ゲート印刷回路基板と前記表示パネルはゲート側ＴＣＰを通じて電気的に連結され、前記データ印刷回路基板と前記表示パネルはデータ側ＴＣＰを通じて電気的に連結される。
【０００５】
また、前記共通電圧は、前記ゲート側ＴＣＰ上にパターニングされて形成された二つの電圧提供ラインを通じて前記表示パネルに提供され、前記電源電圧は、前記データ側ＴＣＰ上にパターニングされて形成された二つの電圧提供ラインを通じて前記表示パネルに提供される。
【０００６】
一方、有機電気発光表示装置は、サイズが増加することによってより多い量の共通電圧及び電源電圧を必要とする。
【０００７】
したがって、前記ゲート側ＴＣＰ及びゲート側ＴＣＰ上に形成された狭い幅の電圧提供ラインを通じて、表示パネルに提供しうる共通電圧及び電源電圧は、限界があり、多い量の共通電圧及び電源電圧を表示パネルに提供できない問題点がある。
【発明の開示】
【発明が解決しようとする課題】
【０００８】
本発明は、前述した問題点を解決するためのものであって、本発明の目的は、有機電気発光素子に多量の駆動電流を効果的に提供するための有機電気発光表示装置を提供することにある。
【課題を解決するための手段】
【０００９】
前記の目的を達成するための本発明の第１特徴による有機電気発光表示装置の表示パネルは、表示領域及び前記表示領域を囲む第１乃至第４周辺領域で構成され、有機電気発光素子によって画像を表示し、第１印刷回路基板は第１周辺領域に対応するように配置され、前記表示パネルに第１駆動信号及び所定電圧を提供し、第２印刷回路基板は前記第２周辺領域に対応するように配置され、前記表示パネルに第２駆動信号を提供し、複数の第１信号伝達部材は、前記第１印刷回路基板と前記表示パネルを電気的に連結させ、所定間隔に配列され、複数の第２信号伝達部材は、前記第２印刷回路基板と前記表示パネルを電気的に連結させ、所定間隔に配列され、第１電圧伝達部材は、少なくとも前記第１信号伝達部材の間に少なくとも一つ以上形成され、前記表示パネルに前記所定電圧を提供する。
【００１０】
本発明の第２特徴による有機電気発光表示装置の表示パネルは、表示領域及び前記表示領域を囲む第１周辺領域乃至第４周辺領域で構成され、有機電気発光素子によって画像を表示し、第１印刷回路基板は、前記第１周辺領域に対応するように配置されて前記表示パネルに第１駆動信号を提供し、第１電圧伝達部材は前記第１周辺領域に対向する第３周辺領域又は前記第２周辺領域に対向し、第３周辺領域と前記第１周辺領域を連結する前記第４周辺領域に形成され、前記表示パネルに所定電圧を提供する。
【００１１】
本発明の他の実施例によると、有機電気発光表示装置は、表示パネル、前記表示パネルに駆動信号を伝送する信号伝送部材、及び前記信号伝送部材と分離し、電圧のみを前記表示パネルに伝送する電圧伝送部材を含む。
【発明の効果】
【００１２】
このような有機電気発光表示装置によると、信号伝達部材の間に形成される電圧伝達部材又は第３周辺領域又は第４周辺領域に形成される電圧伝達部材によって表示パネルにより多い量の電圧を一度に安定的に提供することができる。
【発明を実施するための最良の形態】
【００１３】
以下、本発明の望ましい実施例による有機電気発光表示装置を添付図面を参照して詳細に説明する。
【００１４】
図１は、本発明の一実施例による有機電気発光表示装置の構成を概略的に示した平面図である。
【００１５】
図１に示したように、本発明の一実施例による有機電気発光表示装置は、画像を表示する表示パネル１００、前記画像を表示するためのデータ信号及び電源電圧（Ｖｄｄ）を表示パネル１００に提供するデータ駆動部２００（駆動部）、前記画像を表示するためのゲート信号及び共通電圧（Ｖｃｏｍ）を表示パネル１００に提供するゲート駆動部３００（駆動部）、電源電圧（Ｖｄｄ）を表示パネル１００に提供する第１可撓性印刷回路基板（Ｆｌｅｘｉｂｌｅ  Ｐｒｉｎｔｅｄ  Ｃｉｒｃｕｉｔ）４００及び共通電圧（Ｖｃｏｍ）を表示パネル１００に提供する第２可撓性印刷回路基板５００を含む。ここで、複数の可撓性回路基板４００、５００をデータ駆動部２００及びゲート駆動部３００とそれぞれ連結することもできる。
【００１６】
前記表示パネル１００は、前記画像が表示される表示領域（ＤＡ）及び表示領域（ＤＡ）を外郭で囲む第１周辺領域（ＰＡ１）、第２周辺領域（ＰＡ２）、第３周辺領域（ＰＡ３）、及び第４周辺領域（ＰＡ４）で構成される。
【００１７】
前記表示領域（ＤＡ）には、第１方向に延び、前記第１方向に直交する第２方向に互いに一定間隔に離隔され配列される複数のデータライン（ＤＬ）及び前記第２方向に延び、前記第１方向に互いに一定間隔に離隔され配列される複数のゲートライン（ＧＬ）が形成される。前記複数のデータライン（ＤＬ）及び前記複数のゲートライン（ＧＬ）のうち、隣接する二つのデータラインとゲートラインによってマトリクス形態で画素領域が定義される。
【００１８】
前記画素領域には、有機電気発光素子が形成される。即ち、前記画素領域には、前記ゲートライン（ＧＬ）を通じて印加されるゲート信号によってスイッチング動作される第１ＴＦＴ１１０（スイッチング素子）、第１ＴＦＴ１１０と電源電圧（Ｖｄｄ）ラインとの間に形成されるストレージキャパシタ（Ｃｓｔ）、印加される駆動電流に相応する光を発生させる有機電気発光（Ｅｌｅｃｔｒｏ  Ｌｕｍｉｎｅｓｃｅｎｔ）ダイオード１２０（以下、有機ＥＬダイオードと称する）、及び電源電圧（Ｖｄｄ）ラインとストレージキャパシタ（Ｃｓｔ）との間に形成され、有機ＥＬダイオード１２０に印加される駆動電流を調節する第２ＴＦＴ１３０（電流制御素子）を含む。ここで、前記有機ＥＬダイオード１２０のカソード電極に共通電圧（Ｖｃｏｍ）が提供される。
【００１９】
ここで、第２ＴＦＴ１３０は、第１ＴＦＴ１１０がスイッチング動作されることによって、一つのデータライン（ＤＬ）を通じて入力されるデータ信号によってターンオンされ、有機ＥＬダイオード１２０に駆動電流を印加する。また、有機ＥＬダイオード１２０は、第２ＴＦＴ１３０によって印加される駆動電流に相応する光を発生させる。
【００２０】
ここで、有機ＥＬダイオード１２０の発光原理は下記のようである。即ち、有機ＥＬダイオード１２０に順方向の電流が印加されると、正孔を供給する陽極と電子を供給する陰極との間の発光層に前記電子と正孔が移動するようになり、これらキャリアは互いに結合して所定のエネルギー差に相応する光を放出する。
【００２１】
前記第１ＴＦＴ１１０は、スイッチング動作を遂行し、第２ＴＦＴ１３０は、電流制御動作を行う。ここで、第１ＴＦＴ１１０及び第２ＴＦＴ１３０は、ＮＭＯＳトランジスタ又はＰＭＯＳトランジスタとして形成することができる。ＮＭＯＳトランジスタの電子密度は正孔密度より高く、ＰＭＯＳトランジスタの正孔密度より高い。
【００２２】
図２は、図１に示した有機電気発光表示素子の断面図である。
【００２３】
図２を参照すると、第１ＴＦＴ１１０は、第１ゲート電極１１１、第１半導体パターン（Ｃ１）、第１エッチング阻止パターン（ｅｔｃｈ  ｓｔｏｐ  ｐａｔｔｅｒｎ）１１２、第１ソース電極１１３及び第１ドレイン電極１１４で構成される。
【００２４】
前記第１半導体パターン（Ｃ１）は、第１ゲート電極１１１の上面に配置され、絶縁物質からなる絶縁層１４０によって第１ゲート電極１１１と絶縁される。絶縁層１４０は、第１ＴＦＴの第１ゲート電極１１１、第２ＴＦＴの第２ゲート電極１３１、及びストレージキャパシタ（Ｃｓｔ）の第１電極１５０上に塗布される。また、第１半導体パターン（Ｃ１）は、第１アモルファスシリコンパターン１１５、第１ｎ＋アモルファスシリコンパターン１１６、及び第２ｎ＋アモルファスシリコンパターン１１７で構成される。
【００２５】
ここで、第１アモルファスシリコンパターン１１５は、アモルファスシリコン薄膜をパターニングして形成される。また、第１ｎ＋アモルファスシリコンパターン１１６、及び第２ｎ＋アモルファスシリコンパターン１１７は、導電性不順物であるドーパントが注入されたｎ＋アモルファスシリコン薄膜をパターニングして形成される。
【００２６】
前記第１エッチング阻止パターン１１２は、第１アモルファスシリコンパターン１１５、第１ｎ＋アモルファスシリコンパターン１１６及び第２ｎ＋アモルファスシリコンパターン１１７との間に介在される。即ち、第１エッチング阻止パターン１１２の端部は、第１ｎ＋アモルファスシリコンパターン１１６及び第２ｎ＋アモルファスシリコンパターン１１７と第１アモルファスシリコンパターン１１５との間に配置される。第１ｎ＋アモルファスシリコンパターン１１６及び第２ｎ＋アモルファスシリコンパターン１１７は、第１エッチング阻止パターン１１２の端部を除いた領域に形成される。また、第１エッチング阻止パターン１１２は、第１ｎ＋アモルファスシリコンパターン１１６及び第２ｎ＋アモルファスシリコンパターン１１７が形成される過程にて、第１アモルファスシリコンパターン１１５がエッチング又は損傷しないようにする。
【００２７】
一方、第２ＴＦＴ１３０は、第２ゲート電極１３１、第２半導体パターン（Ｃ２）、第２エッチング阻止パターン１３２、第２ソース電極１３３、及び第２ドレイン電極１３４で構成される。前記第２ゲート電極１３１は、第１ＴＦＴ１１０の第１ドレイン電極１１４に電気的に連結される。
【００２８】
前記第２半導体パターン（Ｃ２）は、第２ゲート電極１３１の上面に配置され、絶縁層１４０によって第２ゲート電極１３１と絶縁される。また、第２半導体パターン（Ｃ２）は第２アモルファスシリコンパターン１３５、第３ｎ＋アモルファスシリコンパターン１３６及び第４ｎ＋アモルファスシリコンパターン１３７で構成される。
【００２９】
ここで、第２アモルファスシリコンパターン１３５は、アモルファスシリコン薄膜をパターニングして形成される。本実施例で、第２アモルファスシリコンパターン１３５は、第１アモルファスシリコンパターン１１５と同じ層から形成される。前記第３ｎ＋アモルファスシリコンパターン１３６及び第４ｎ＋アモルファスシリコンパターン１３７は、導電性不純物であるドーパントが注入されたｎ＋アモルファスシリコン薄膜をパターニングして形成される。第３ｎ＋アモルファスシリコンパターン１３６及び前記第４ｎ＋アモルファスシリコンパターン１３７は、第１ｎ＋アモルファスシリコンパターン１１６及び第２ｎ＋アモルファスシリコンパターン１１７と同じ層から形成される。
【００３０】
第２エッチング阻止パターン１３２は、第２アモルファスシリコンパターン１３５と第３ｎ＋アモルファスシリコンパターン１３６及び第４ｎ＋アモルファスシリコンパターン１３７との間に介在される。即ち、第２エッチング阻止パターン１３２の端部は、第３ｎ＋アモルファスシリコンパターン１３６及び第４ｎ＋アモルファスシリコンパターン１３７と第２アモルファスシリコンパターン１３５との間に配置される。また、第２エッチング阻止パターン１３２は、第３ｎ＋アモルファスシリコンパターン１３６及び第４ｎ＋アモルファスシリコンパターン１３７が形成される過程にて第２アモルファスシリコンパターン１３５がエッチング又は損傷しないようにする。
【００３１】
ストレージキャパシタ（Ｃｓｔ）は、第２ゲート電極１３１の一部である第１電極１５０、電源電圧ラインの一部である第２電極１５１、及び第１電極１５０と第２電極１５１との間に位置する絶縁層１４０で構成される。
【００３２】
また、有機ＥＬダイオード１２０は、連結電極１２１、アノード電極１２２、有機発光層１２３、及びカソード電極１２４で構成される。未説明の参照符号１６０は、第１層間絶縁膜であり、１７０は第２層間絶縁膜である。第１層間絶縁膜１６０は、第１ＴＦＴ１１０、第２ＴＦＴ１３０、及びストレージキャパシタ（Ｃｓｔ）の露出した表面をカバーする。第２層間絶縁膜１７０は、連結電極１２１、アノード電極１２２、及び第１層間絶縁膜１６０の露出した表面をカバーする。
【００３３】
前記連結電極１２１は、第１ドレイン電極１１４のために第１層間絶縁膜１６０に形成された連結ホール、及び第２ゲート電極１３１のために第１層間絶縁膜１６０及び絶縁層１４０に形成された連結ホールを通じて第１ＴＦＴ１１０のドレイン電極１１４と第２ＴＦＴ１３０の第２ゲート電極１３１を連結する。ここで、連結電極１２１は、アノード電極１２２を形成する物質と同一物質で形成することが望ましい。
【００３４】
前記アノード電極１２２は、第２ＴＦＴ１３０の第２ドレイン電極１３４に連結され、電源電圧ラインから供給された駆動電流が印加される。アノード電極１２２は、第２ドレイン電極１３４のために、第１層間絶縁膜１６０に形成された連結ホールを通じて第２ドレイン電極１３４に連結される。また、アノード電極１２２は透明でありながら導電性であるインジウムスズ酸化物又はインジウム亜鉛酸化物などからなる。
【００３５】
前記有機発光層１２３は、赤色有機発光物質、緑色有機発光物質、及び青色有機発光物質よりいずれか一つで構成される。ここで、有機発光層１２３は、アノード電極１２２とカソード電極１２４との間に配置される。有機発光層１２３は、第２層間絶縁膜１７０に形成された連結ホールを通じてアノード電極１２２と連結される。
【００３６】
カソード電極１２４は、第２層間絶縁膜１７０及び有機発光層１２３上に形成される。一方、カソード電極は、アノード電極１２２と向い合い、望ましくは、抵抗が非常に低いアルミニウム及びアルミニウム合金のような金属薄膜からなる。
【００３７】
また、カソード電極１２４とアノード電極１２２との間には、電子注入層、電子輸送層、正孔注入層を更に含むことができる。
【００３８】
再び図１を参照すると、データ駆動部２００は、複数のデータ駆動チップ２１０及びデータ印刷回路基板２２０で構成される。前記データ印刷回路基板２２０は、データ側テープキャリアパッケージ（ＴＣＰ）２３０、すなわち、信号伝達部材によって表示パネル１００と電気的に連結される。各データ駆動チップ２１０は、データＴＣＰ２３０上に形成することができる。
【００３９】
前記データ側ＴＣＰ２３０は、複数が所定間隔を有するように表示パネル１００の第１周辺領域（ＰＡ１）に一端が付着され、データ印刷回路基板２２０に他端が付着される。前記データ側ＴＣＰ２３０は、データ信号伝送用フィルムとして、異方性導電フィルム（ＡＣＦ）によって一端及び他端が表示パネル１００及びデータ印刷回路基板２２０にそれぞれ付着される。ここで、複数のデータ駆動チップ２１０はデータ側ＴＣＰ２３０上に実装される。
【００４０】
また、データ側ＴＣＰ２３０には、データ印刷回路基板２２０から印加される電源電圧（Ｖｄｄ）を表示パネル１００に提供するための電源電圧提供ライン２４０がパターニングされて形成される。電源電圧提供ライン２４０は、ＡＣＦに向い合うデータＴＣＰ２３０の表面に配置され、ＡＣＦを通じて電源電圧提供ライン２４０を表示パネル１００に連結する。
【００４１】
前記第１可撓性印刷回路基板４００（電圧伝達部材）は、データ側ＴＣＰ２３０の間に形成される。即ち、第１可撓性印刷回路基板４００は、データ側ＴＣＰ２３０の間で一端が第１周辺領域（ＰＡ１）に付着され、他端がデータ印刷回路基板２２０に付着される。前記第１可撓性印刷回路基板４００は、異方性導電フィルム（ＡＣＦ）によって表示パネル１００及びデータ印刷回路基板２２０に一端及び他端がそれぞれ付着される。
【００４２】
異方性導電フィルム（ＡＣＦ）は、レジン及びレジン内に配置された複数の導電性ボールを含み、導電性ボールによって伝導性を有する。
【００４３】
ここで、第１可撓性印刷回路基板４００には、データ印刷回路基板２２０から印加される電源電圧（Ｖｄｄ）を表示パネル１００に提供するための複数の電源電圧提供ライン（図示せず）が形成される。一方、第１可撓性印刷回路基板４００には、電源電圧（Ｖｄｄ）を表示パネル１００に提供するための広い幅を有する一つの電源電圧提供ラインが形成される。
【００４４】
したがって、本発明は、第１可撓性印刷回路基板４００によってデータ側ＴＣＰ２３０のみを通じて提供していた既存のものに比べて、より多い量の電源電圧を表示パネル１００に提供することができる。ここで、データ側ＴＣＰ２３０及び第１可撓性印刷回路基板４００を通じて表示パネル１００に提供された電源電圧（Ｖｄｄ）は、図２に示した第２ＴＦＴ１３０のソース電極１３３に提供される。
【００４５】
一方、ゲート駆動部３００は、複数のゲート駆動チップ３１０及びゲート印刷回路基板３２０で構成される。前記ゲート印刷回路基板３２０は、ゲート側ＴＣＰ３３０（信号伝達部材）によって表示パネル１００と電気的に連結される。各ゲート駆動チップ３１０は、ゲートＴＣＰ３３０上に配置することができる。
【００４６】
前記ゲート側ＴＣＰ３３０は、複数が所定間隔を有するように表示パネル１００の第２周辺領域（ＰＡ２）に一端が付着され、ゲート印刷回路基板３２０に他端が付着される。前記ゲート側ＴＣＰ３３０は、ゲート信号伝送用フィルムとして、異方性導電フィルムによって一端及び他端が表示パネル１００及びゲート印刷回路基板３２０にそれぞれ付着される。ここで、複数のゲート駆動チップ３１０はゲート側ＴＣＰ３３０上に実装される。
【００４７】
また、ゲートＴＣＰ３３０上には、ゲート印刷回路基板３２０から印加される共通電圧（Ｖｃｏｍ）を表示パネル１００に提供するための共通電圧提供ライン３４０がパターニングされて形成される。
【００４８】
前記第２可撓性印刷回路基板５００（電圧伝達部材）は、ゲートＴＣＰ３３０の間に形成される。即ち、第２可撓性印刷回路基板５００は、ゲート側ＴＣＰ３３０の間で一端が第２周辺領域（ＰＡ２）に付着され、他端がゲート印刷回路基板３２０に付着される。前記第２可撓性印刷回路基板５００は、異方性導電フィルムによって表示パネル１００及びゲート印刷回路基板３２０に一端及び他端がそれぞれ付着される。
【００４９】
ここで、第２可撓性印刷回路基板５００には、ゲート印刷回路基板３２０から印加される共通電圧（Ｖｃｏｍ）を表示パネル１００に提供するための複数の共通電圧提供ライン（図示せず）が形成される。一方、第２可撓性印刷回路基板５００には、共通電圧（Ｖｃｏｍ）を表示パネル１００に提供するための広い幅を有する一つの共通電圧提供ラインが形成される。
【００５０】
したがって、本発明は、第２可撓性印刷回路基板５００によってゲート側ＴＣＰ３３０のみを通じて共通電圧を提供していた既存のものに比べて、より多い量の共通電圧を表示パネル１００に提供することができる。ここで、共通電圧（Ｖｃｏｍ）は、有機ＥＬダイオード１２０（図２に図示）のカソード電極１２４に提供される。
【００５１】
ここで、第１可撓性印刷回路基板４００及び第２可撓性印刷回路基板５００は、ＴＣＰより導電性が高く多い量の電流を流すことができるという特性を有する。即ち、第１可撓性印刷回路基板４００及び第２可撓性印刷回路基板５００がＴＣＰ２３０、３３０に連結されると、表示パネル１００に更に多い電流を供給することができる。
【００５２】
図３は、図１に示したＩ−Ｉ’に沿って見た断面図である。
【００５３】
図３に示したように、表示パネル１００の第１周辺領域（ＤＡ１）には電源電圧電極パッド２６０が形成される。電源電圧電極パッド２６０は、第１可撓性回路基板４００に対応して配置され、データＴＣＰ２３０上の電源電圧提供ライン２４０に連結することもできる。ここで、複数の電源電圧電極パッド２６０を周辺領域（ＰＡ１）に配置することもできる。前記電源電圧電極パッド２６０の上部にはパッド保護層２５０が形成される。ここで、パッド保護層２５０は電源電圧電極パッド２６０の上部の第１層間絶縁膜１６０及び第２層間絶縁膜１７０が除去されて形成された第１コンタクトホール２８０を通じて電源電圧電極パッド２６０と電気的に連結される。
【００５４】
前記電源電圧電極パッド２６０は、図１に示した電源電圧ラインに連結され、前記電源電圧ラインの形成時、同じ物質で形成される。また、前記電源電圧ラインは、第２ＴＦＴ１３０のソース電極１３３の形成時、同一物質で形成することができる。したがって、電源電圧電極パッド２６０は、第２ＴＦＴ１３０の第２ソース電極１３３を形成するための金属物質によって同一工程で形成することができる。一方、電源電圧電極パッド２６０は、第２ＴＦＴ１３０の第２ソース電極１３３だけでなく、第２ゲート電極１３１又は第２ドレイン電極１３４を形成するための金属物質によって同一工程で形成することもできる。
【００５５】
前記パッド保護層２５０は、図２に示した有機ＥＬダイオード１２０のアノード電極１２２を形成するためのＩＴＯ又はＩＺＯによって同一工程にて形成される。
【００５６】
前記未説明の符号１４０は、ゲート絶縁膜である。ゲート絶縁膜１４０は、第１ゲート電極１１１及び第２ゲート電極１３１上に配置され、第１ゲート電極１１１及び第２ゲート電極１３１を絶縁する。
【００５７】
一方、第１可撓性印刷回路基板４００は、第１ベースフィルム４１０及び電源電圧提供ライン４２０で形成される。ここで、第１可撓性印刷回路基板４００は、下部に形成される異方性導電フィルム６００によって電源電圧電極パッド２６０と電気的に連結される。
【００５８】
即ち、異方性導電フィルム６００の導電ボール６１０によって第１可撓性印刷回路基板４００の電源電圧提供ライン４２０とパッド保護層２５０が電気的に連結されることによって電源電圧提供ライン４２０と電源電圧電極パッド２６０が電気的に連結される。
【００５９】
したがって、データ印刷回路基板２２０から提供された電源電圧（Ｖｄｄ）は第１可撓性印刷回路基板４００を通じてパッド保護層２５０に印加され、パッド保護層２５０に印加された電源電圧基板４００を通じてパッド保護層２５０に印加された電源電圧（Ｖｄｄ）は電源電圧電極パッド２６０に印加され、パッド保護層２５０に印加された電源電圧（Ｖｄｄ）は電源電圧電極パッド２６０に印加された後、前記電源電圧ラインを経て第２ＴＦＴ１３０のソース電極１３３に提供される。電源電圧（Ｖｄｄ）は類似の方法で電源電圧提供ライン２４０に印加することができる。
【００６０】
図４は、図１に示した表示パネルの第２周辺領域のレイアウト図であり、図５は、図４に示したＩＩ−ＩＩ’に沿って見た断面図である。
【００６１】
図４及び図５を参照すると、表示パネル１００の第２周辺領域（ＰＡ２）には複数の共通電極パッド５５０が形成される。ここで、共通電極パッド５５０は、共通電極パッド５５０の第１側に隣接して配置された第２コンタクトホール５６０ａ、第３コンタクトホール５６０ｂ、第４コンタクトホール５６０ｃ、及び第５コンタクトホール５６０ｄをそれぞれ通じてカソード電極１２４と電気的に連結される。
【００６２】
前記共通電極パッド５５０は、第２に示した第１ＴＦＴ１１０及び第２ＴＦＴ１３０のゲート電極形成のための金属物質によって同一工程で形成される。
【００６３】
その後、共通電極パッド５５０の上部の絶縁層１４０、第１層間絶縁膜１６０及び第２層間絶縁膜１７０の一部分が除去され、共通電極パッド５５０の一端を露出させる第２乃至第５コンタクトホール５６０ａ、５６０ｂ、５６０ｃ、５６０ｄが形成される。前記共通電極パッド５５０の一端上部にカソード電極１２４が形成される。前記カソード電極１２４は第２乃至第５コンタクトホール５６０ａ、５６０ｂ、５６０ｃ、５６０ｄを通じて共通電極パッド５５０と電気的に連結される。
【００６４】
また、共通電極パッド５５０の他端上部の絶縁層１４０、第１層間絶縁膜１６０及び第２層間絶縁膜１７０が除去され、共通電極パッド５５０の他端を露出させる第６コンタクトホール５７０が形成される。共通電極パッド５５０の第２端部は第２可撓性回路基板５００及びゲートＴＣＰ３３０の下部に配置することができる。即ち、第２可撓性回路基板５００及びゲートＴＣＰ３３０の側部は、共通電極パッド５５０の第２端部と重なる。ここで、共通電極パッド５５０の他端の上部には共通電極パッド保護層５８０が形成される。前記共通電極パッド保護層５８０は図２に示した有機ＥＬダイオード１２０のアノード電極１２２を形成するためのＩＴＯ又はＩＺＯによって同一工程にて形成される。
【００６５】
一方、第２可撓性印刷回路基板５００は、第２ベースフィルム５１０及び共通電圧提供ライン５２０で構成される。前記第２可撓性印刷回路基板５００は、下部に形成される異方性導電フィルム５９０によって共通電極パッド５５０の他端と電気的に連結される。
【００６６】
即ち、異方性導電フィルム５９０によって第２可撓性印刷回路基板５００の共通電圧提供ライン５２０と共通電極パッド保護層５８０が電気的に連結されることによって第２可撓性印刷回路基板５００と共通電極パッド５５０の他端が電気的に連結される。
【００６７】
したがって、ゲート印刷回路基板３２０から提供された共通電圧（Ｖｃｏｍ）は、第２可撓性印刷回路基板５００を通じて共通電極パッド５５０の他端に印加され、共通電極パッド５５０の他端に印加された共通電圧（Ｖｃｏｍ）は、共通電極パッド５５０の一端に連結されたカソード電極１２４に提供される。また、共通電圧（Ｖｃｏｍ）は、ゲートＰＣＢ３２０からゲートＴＣＰ３３０の共通電圧提供ライン３４０を通じて表示パネル１００に印加される。
【００６８】
前記第６コンタクトホール５７０及び共通電極パッド保護層５８０は、ゲート側ＴＣＰ３３０及び第２可撓性印刷回路基板５００の共通電圧提供ラインと共通電極パッド５５０とを電気的に連結するために複数形成される。
【００６９】
前述したように、本発明による有機電気発光表示装置は、データ側ＴＣＰの間に形成された第１可撓性印刷回路基板によってより多い量の電源電圧を安定的に表示パネルに提供することができる。
【００７０】
また、本発明による有機電気発光表示装置は、ゲート側ＴＣＰの間に形成された第２可撓性印刷回路基板によってより多い量の共通電圧を安定的に表示パネルに提供することができる。
【００７１】
前記では、共通電極パッド５５０が第１ＴＦＴ１１０又は第２ＴＦＴ１３０のゲート電極の形成時に形成される場合を例として上げたが、ドレイン電極及びソース電極を形成する金属物質によって同じ工程にて形成することができる。
【００７２】
図６は、本発明の他の実施例による有機電気発光表示装置を概略的に示した平面図である。
【００７３】
図６に示したように、本発明の他の実施例による有機電気発光表示装置は、表示パネル１００、データ駆動部２００、ゲート駆動部３００、第１電圧提供印刷回路基板７００及び第２電圧提供印刷回路基板８００を含む。
【００７４】
ここで、表示パネル１００は、有機電気発光素子によって画像を表示する表示領域（ＤＡ）、表示領域（ＤＡ）を外郭で囲む第１乃至第４周辺領域（ＰＡ１、ＰＡ２、ＰＡ３、ＰＡ４）で構成される。
【００７５】
前記表示パネル１００、データ駆動部２００及びゲート駆動部３００は本発明の一実施例と同じ構成を有するので、同じ番号を付与し、これに対する詳細な説明は省略する。
【００７６】
一方、第１電圧提供印刷回路基板７００は、表示パネル１００の第３周辺領域（ＰＡ３）に隣接するように形成され、第３周辺領域（ＰＡ３）を通じて表示パネル１００に電源電圧（Ｖｄｄ）を提供する。ここで、第１電圧提供印刷回路基板７００は、第１可撓性印刷回路基板７１０によって表示パネル１００と電気的に連結される。
【００７７】
前記第１可撓性印刷回路基板７１０は、一端が第３周辺領域（ＰＡ３）に付着され、他端が第１電圧提供印刷回路基板７００に付着される。したがって、第１可撓性印刷回路基板７１０は、第１電圧提供印刷回路基板７００から印加される電源電圧（Ｖｄｄ）を表示パネル１００に提供する。
【００７８】
また、第１可撓性印刷回路基板７１０は、第３周辺領域（ＰＡ３）に対応する表示領域（ＤＡ）の一辺と同一或いは少し大きい形成長さを有する。ここで、第１可撓性印刷回路基板７１０には複数の電源電圧提供ラインが形成されたり、或いは第１可撓性印刷回路基板７１０には広い幅を有する一つの電源電圧提供ラインが形成される。したがって、第１可撓性印刷回路基板７１０によってより多い量の電源電圧（Ｖｄｄ）を一度に表示パネル１００に提供することができる。
【００７９】
一方、第２電圧提供印刷回路基板８００は、表示パネル１００の第４周辺領域（ＰＡ４）に隣接するように形成され、第４周辺領域（ＰＡ４）を通じて表示パネル１００に共通電圧を提供する。ここで、第２電圧提供印刷回路基板８００は、第２可撓性印刷回路基板８１０によって表示パネル１００と電気的に連結される。
【００８０】
前記第２可撓性印刷回路基板８１０は、一端が第４周辺領域（ＰＡ４）に付着され、他端が第２電圧提供印刷回路基板８００に付着される。したがって、第２可撓性印刷回路基板８１０は、第２電圧提供印刷回路基板８００から印加される共通電圧（Ｖｃｏｍ）を表示パネル１００に提供する。
【００８１】
また、第２可撓性印刷回路基板８１０は、第４周辺領域（ＰＡ４）に対応する表示領域（ＤＡ）の一辺と同一或いは少し大きい形成長さを有する。ここで、第２可撓性印刷回路基板８１０には、複数の共通電圧提供ラインが形成されたり、或いは広い幅を有する一つの共通電圧提供ラインが形成される。したがって、第２可撓性印刷回路基板８１０によってより多い量の共通電圧（Ｖｃｏｍ）を一度に表示パネル１００に提供することができる。
【００８２】
図７は、図６に示した第３周辺領域及び第４周辺領域を示したレイアウト図である。
【００８３】
図７を参照すると、表示パネル１００の第３周辺領域（ＰＡ３）には、第１可撓性印刷回路基板７１０から提供された電源電圧（Ｖｄｄ）を図２の第２ＴＦＴ１３０のソース電極１３３に提供するための電源電圧電極パッド２５０が形成される。ここで、電源電圧電極パッド２５０は、第２ＴＦＴ１３０のソース電極１３３に電源電圧（Ｖｄｄ）を供給する電源電圧ラインと電気的に連結される。
【００８４】
また、電源電圧電極パッド２５０は、有機電気発光素子１２０のアノード電極１２２の形成時、隣接する電源電圧ラインが互いに電気的に連結する金属ラインと電気的に連結する。したがって、電源電圧電極パッド２５０を通じて供給された電源電圧（Ｖｄｄ）が第２ＴＦＴ１３０のソース電極１３３に全て提供される。
【００８５】
前記第１可撓性印刷回路基板７１０と電源電圧電極パッド２５０は、異方性導電フィルム（図示せず）によって電気的に連結される。即ち、前記異方性導電フィルムは第１可撓性印刷回路基板７１０の下部に形成され、前記異方性導電フィルム内の導電ボールによって可撓性印刷回路基板７１０と電源電圧電極パッド２５０は電気的に連結される。
【００８６】
したがって、第１可撓性印刷回路基板７１０と電源電圧電極パッド２５０が電気的に連結されることによって第１電圧提供印刷回路基板７００から第１可撓性印刷回路基板７１０に印加された電源電圧（Ｖｄｄ）が電源電圧電極パッド２５０に提供された後、電源電圧ラインを通じて第２ＴＦＴ１３０のソース電極１３３に提供される。
【００８７】
また、表示パネル１００の第４周辺領域（ＰＡ４）には、第２可撓性印刷回路基板８１０から提供された共通電圧（Ｖｃｏｍ）を有機ＥＬダイオード１２０のカソード電極１２４に提供するための共通電極パッド８５０が形成される。ここで、共通電極パッド８５０は、コンタクトホール８６０を通じてカソード電極１２４と電気的に連結される。
【００８８】
前記コンタクトホール８６０は、第４周辺領域（ＰＡ４）に対応するカソード電極１２４の一辺とほぼ同一の形成長さを有する。即ち、カソード電極１２４と共通電極パッド８５０は、コンタクトホール８６０に比べて広い接触面積を有する。したがって、本発明は、カソード電極１２４と共通電極パッド８５０の接触面積が広くなることによってコンタクト抵抗が減少するので、より多い量の共通電圧をより安定的に表示パネル１００に提供することができる。
【００８９】
前記で表示パネル１００の第３周辺領域（ＰＡ３）に形成される第１可撓性印刷回路基板７１０によって表示パネル１００に電源電圧（Ｖｄｄ）を提供する場合を例として挙げたが、第１可撓性印刷回路基板７１０によって表示パネル１００に共通電圧（Ｖｃｏｍ）を提供することができる。
【００９０】
また、表示パネル１００の第４周辺領域（ＰＡ４）に形成される第２可撓性印刷回路基板８１０によって表示パネル１００に共通電圧（Ｖｃｏｍ）を提供する場合を例として挙げたが、第２可撓性印刷回路基板８１０によって表示パネル１００に電源電圧（Ｖｄｄ）を提供することができる。
【００９１】
前記カソード電極と共通電極パッドとの接触面積を広くする場合のみを例を挙げて説明したが、電源電圧電極パッドと第１可撓性印刷回路基板との接触面積を広くすることができるのは確かである。
【００９２】
また、本発明の他の実施例は、第３周辺領域（ＰＡ３）及び第４周辺領域（ＰＡ４）に形成された第１可撓性印刷回路基板７１０及び第２可撓性印刷回路基板８１０の他にデータ側ＴＣＰとゲート側ＴＣＰとの間に形成され、表示パネルに電源電圧及び共通電圧を提供することができる別途の可撓性印刷回路基板を更に含むことができる。
【００９３】
本発明では、第１可撓性印刷回路基板７１０及び第２可撓性印刷回路基板８１０が表示パネル１００に電源電圧（Ｖｄｄ）又は共通電圧（Ｖｃｏｍ）を提供する場合を例として説明したが、第１可撓性印刷回路基板７１０が表示パネル１００に電源電圧（Ｖｄｄ）と共通電圧（Ｖｃｏｍ）を同時に提供することができ、第２可撓性印刷回路基板８１０も表示パネル１００に電源電圧（Ｖｄｄ）と共通電圧（Ｖｃｏｍ）を同時提供することもできる。
【００９４】
図８は、本発明のまた他の実施例による有機電気発光表示装置を概略的に示した平面図である。
【００９５】
図８に示したように、本発明の他の実施例による有機電気発光表示装置は、表示パネル１００、データ駆動部９００、ゲート駆動部１０００、第１電圧提供印刷回路基板７００、及び第２電圧提供印刷回路基板８００を含む。
【００９６】
ここで、第１電圧提供印刷回路基板７００は、第１可撓性印刷回路基板７１０によって表示パネル１００と電気的に連結される。また、第２電圧提供印刷回路基板８００は、第２可撓性印刷回路基板８１０によって表示パネル１００と電気的に連結される。
【００９７】
前記第１電圧提供印刷回路基板７００及び第２電圧提供印刷回路基板８００と、第１可撓性印刷回路基板７１０及び第２可撓性印刷回路基板８１０は、図６及び図７に示した本発明の他の実施例と同一構成を有するので、同一番号を付与し、これに対する詳細な説明は省略する。
【００９８】
一方、表示パネル１００は、有機電気発光素子によって画像を表示する表示領域（ＤＡ）、表示領域（ＤＡ）を外郭で囲む第１乃至第４周辺領域（ＰＡ１、ＰＡ２、ＰＡ３、ＰＡ４）で構成される。
【００９９】
前記表示領域（ＤＡ）に対応する表示パネル上には、複数のデータライン（ＤＬ）及び複数のデータライン（ＤＬ）と交差する複数のゲートライン（ＧＬ）が形成される。前記複数のデータライン（ＤＬ）及び前記複数のゲートライン（ＧＬ）のうち、隣接する二つのデータラインとゲートラインによってマトリクス形態で画素領域が定義される。
【０１００】
前記画素領域には、有機電気発光素子が形成される。前記有機電気発光素子は、第１ＴＦＴ１１０、ストレージキャパシタ（Ｃｓｔ）、有機ＥＬダイオード１２０、及び第２ＴＦＴ１３０を含む。ここで、前記有機電気発光素子の発光原理は本発明の一実施例と同一であるので、これに対する説明は省略する。
【０１０１】
前記データ駆動部９００は、データ駆動チップ９１０及びデータ印刷回路基板９２０で構成される。前記データ駆動チップ９１０は、第１周辺領域（ＰＡ１）に対応する表示パネル１００上にチップ形態で実装される。また、データ印刷回路基板９２０は、異方性導電フィルム（ＡＣＦ）によって一端が第１周辺領域（ＰＡ１）に隣接する表示パネル１００の端部に付着される。前記データ駆動チップ９１０は、表示領域（ＤＡ）に形成された複数のデータライン（ＤＬ）と電気的に連結される。したがって、データ駆動チップ９１０は、データ印刷回路基板９２０から画像信号を受け、前記提供された画像信号に応答する画像を表示するための第１駆動信号を複数のデータライン（ＤＬ）に提供する。
【０１０２】
一方、ゲート駆動部１０００は、第２周辺領域（ＰＡ２）に対応する表示パネル１００上に第１ＴＦＴ１１０及び第２ＴＦＴ１３０の形成時、同一工程にて同一の物質で形成される。前記ゲート駆動部１０００は、表示領域（ＤＡ）に形成された複数のゲートライン（ＧＬ）と電気的に連結される。したがって、ゲート駆動部１０００は、前記画像を表示するための第２駆動信号を複数のゲートライン（ＧＬ）に出力する。
【０１０３】
本実施例で、データ駆動チップ９１０は、チップ形態で形成された場合を例として説明したが、ゲート駆動部１０００と同様に、第１ＴＦＴ１１０及び第２ＴＦＴ１３０の形成時、同一工程にて同一物質で形成することができるのは確かである。
【０１０４】
前記本実施例によると、第１可撓性印刷回路基板７１０によってより多い量の電源電圧（Ｖｄｄ）を一度に表示パネル１００に提供することができる。また、第２可撓性印刷回路基板８１０によってより多い量の共通電圧（Ｖｃｏｍ）を一度に表示パネルに提供することができる。
【０１０５】
また、本実施例では、第３周辺領域（ＰＡ３）及び第４周辺領域（ＰＡ４）を通じて電源電圧（Ｖｄｄ）又は共通電圧（Ｖｃｏｍ）を表示パネル１００に提供する場合を例として挙げたが、図１のようにデータ駆動部２００及びゲート駆動部３００が形成された第１周辺領域（ＰＡ１）及び第２周辺領域（ＰＡ２）を通じても提供することができる。
【産業上の利用可能性】
【０１０６】
前述したように、本発明は、データ側ＴＣＰとゲート側ＴＣＰとの間に形成され、表示パネルに電源電圧及び共通電圧をそれぞれ提供する可撓性印刷回路基板を含む。また、本発明のデータ側ＴＣＰとゲート側ＴＣＰが形成されない周辺領域に付着され、表示パネルに電源電圧又は共通電圧を提供する可撓性印刷回路基板を含む。
【０１０７】
したがって、本発明はＴＣＰ以外の可撓性印刷回路基板によって電源電圧又は共通電圧を表示パネルに提供するので、有機電気発光素子により多い駆動電流を効果的に提供することができる。
【０１０８】
また、本発明は、可撓性印刷回路基板から共通電圧の入力を受ける電極パッドとカソード電極を電気的に接触させるためのコンタクトホールを大きく形成して、電極パッドとカソード電極の接触面積を増加させ、より多い量の駆動電流を提供することができる。
【０１０９】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【０１１０】
【図１】本発明の一実施例による有機電気発光表示装置の構成を概略的に示した平面図である。
【図２】図１に示した有機電気発光表示装置の断面図である。
【図３】図１に示したＩ−Ｉ’に沿って見た断面図である。
【図４】図１に示した表示パネルの第２周辺領域のレイアウト図である。
【図５】図４に示したＩＩ−ＩＩ’に沿って見た断面図である。
【図６】本発明の他の実施例による有機電気発光表示装置を概略的に示した平面図である。
【図７】図６に示した第３周辺領域及び第４周辺領域を示したレイアウト図である。
【図８】本発明のまた他の実施例による有機電気発光表示装置を概略的に示した平面図である。
【符号の説明】
【０１１１】
１００…表示パネル、
１１１…ゲート電極、
１１２…エッチング阻止パターン、
１１３…ソース電極、
１１４…ドレイン電極、
１１５、１１６、１１７、１３５、１３６、１３７…第１アモルファスシリコンパターン、
１１６…第１ｎ＋アモルファスシリコンパターン、
１１７…第２ｎ＋アモルファスシリコンパターン、
１２０…有機ＥＬダイオード、
１２１…連結電極、
１２２…アノード電極、
１２３…有機発光層、
１２４…カソード電極、
１３１…ゲート電極、
１３２…エッチング阻止パターン、
１３３…ソース電極、
１３４…ドレイン電極、
１４０…ゲート絶縁膜、
１５０…第１電極、
１５１…第２電極、
１６０…層間絶縁膜、
１７０…層間絶縁膜、
２００、９００…データ駆動部、
２１０、９１０…データ駆動チップ、
２２０、９２０…データ印刷回路基板、
２３０…データ側ＴＣＰ、
２４０…電源電圧提供ライン、
２５０…パッド保護層、
２５０…電源電圧電極パッド、
２６０…電源電圧電極パッド、
２８０、５６０ａ〜５６０ｄ、５７０、８６０…コンタクトホール、
３００、１０００…ゲート駆動部、
３１０…ゲート駆動チップ、
３２０…ゲート印刷回路基板、
３３０…ゲート側ＴＣＰ、
３４０…共通電圧提供ライン、
４００、７１０…第１可撓性印刷回路基板、
４１０…ベースフィルム、
４２０…電源電圧提供ライン、
５００、８１０…第２可撓性印刷回路基板、
５１０…ベースフィルム、
５２０…共通電圧提供ライン、
５５０、８５０…共通電極パッド、
５８０…共通電極パッド保護層、
５９０、６００…異方性導電フィルム、
６１０…導電ボール、
７００、８００…電圧提供印刷回路基板。
【図１】
2006039541.tif 000003
【図２】
2006039541.tif 000004
【図３】
2006039541.tif 000005
【図４】
2006039541.tif 000006
【図５】
2006039541.tif 000007
【図６】
2006039541.tif 000008
【図７】
2006039541.tif 000009
【図８】
2006039541.tif 000010